(57)【要約】【課題】認証における操作の手間を軽減することができる監視制御装置、認証方法及び情報処理装置を提供することである。【解決手段】実施形態の監視制御装置は、プラントに備えられた設備の状態の監視及び制御に用いられる。監視制御装置は、操作部と、イベント特定部と、間隔測定部と、認証部と持つ。操作部は、ユーザの操作を受け付ける。イベント特定部は、操作部が受け付けた操作に基づいてイベントを特定する。間隔測定部は、イベント特定部が特定したイベントの発生間隔を検出する。認証部は、イベント特定部が特定したイベントの種類と発生間隔と発生回数とに基づいて、ユーザが監視制御装置の使用を許可されているか否かを判定する。【選択図】図２
2016071792.tif 000002
【特許請求の範囲】
【請求項１】
プラントに備えられた設備の状態の監視及び制御に用いられる監視制御装置であって、
ユーザの操作を受け付ける操作部と、
前記操作部が受け付けた操作に基づいてイベントを特定するイベント特定部と、
前記イベント特定部が特定したイベントの発生間隔を検出する間隔測定部と、
前記イベント特定部が特定したイベントの種類と発生間隔と発生回数とに基づいて、前記ユーザが監視制御装置の使用を許可されているか否かを判定する認証部と、
を備える監視制御装置。
【請求項２】
イベントの種類と発生間隔と発生回数との組み合わせをユーザごとに記憶している記憶部を更に備え、
前記認証部は、
前記記憶部に記憶されている組み合わせごとに、前記イベント特定部が特定したイベントの種類と発生間隔と発生回数との組み合わせとが一致しているか否かを判定し、一致した組み合わせがあった場合に前記ユーザが監視制御装置の使用を許可されていると判定する、
請求項１に記載の監視制御装置。
【請求項３】
前記設備の状態を表示する表示部を更に備え、
前記イベント特定部は、
前記表示部の表示領域における予め定められた部分領域において行われたユーザの操作に基づいてイベントを特定する
請求項１又は請求項２のいずれかに記載の監視制御装置。
【請求項４】
前記設備から受け付けた情報に基づいて表示画像を生成し、生成した表示画像を前記表示部に表示させる表示制御部と、
前記操作部が一定期間に亘りユーザの操作を受け付けなかった場合に、前記操作部が受け付けた操作に応じた処理であって前記設備の監視及び制御に関する処理の実行を停止させる制御部と、
を更に備え、
前記表示制御部は、
前記制御部が前記設備の監視及び制御に関する処理の実行を停止させた場合、当該処理の実行を停止させたときに前記表示部に表示させていた表示画像の更新を継続して行う
請求項３に記載の監視制御装置。
【請求項５】
前記表示部の表示領域にはユーザごとに対応付けられた部分領域が予め定められており、
前記認証部は、
前記記憶部に記憶されている組み合わせのうち前記操作部により受け付けられた操作が行われた部分領域に対応するユーザに対応付けられたイベントの種類と発生間隔と発生回数との組み合わせと、前記イベント特定部が特定したイベントの種類と発生間隔と発生回数との組み合わせとが一致する場合に前記ユーザが監視制御装置の使用を許可されていると判定する、
請求項４に記載の監視制御装置。
【請求項６】
前記表示制御部は、
前記部分領域を指定するためのカーソルに、前記制御部が前記設備の監視及び制御に関する処理の実行を停止させる前と同じカーソルを用いる、
請求項５に記載の監視制御装置。
【請求項７】
ユーザの操作が行われる際に一定の間隔で音を発生させる音出力部を更に備える、
請求項１から請求項６のいずれか一項に記載の監視制御装置。
【請求項８】
ユーザの操作が行われる際にノイズ音を発生させる音出力部を更に備える、
請求項１から請求項６のいずれか一項に記載の監視制御装置。
【請求項９】
プラントに備えられた設備の状態の監視及び制御に用いられる監視制御装置が行う認証方法であって、
ユーザの操作を受け付ける操作ステップと、
前記操作ステップにおいて受け付けた操作に基づいてイベントを特定するイベント特定ステップと、
前記イベント特定ステップにおいて特定したイベントの発生間隔を検出する間隔検出ステップと、
前記イベント特定ステップにおいて特定したイベントの種類と発生間隔と発生回数とに基づいて、前記ユーザが監視制御装置の使用を許可されているか否かを判定する認証ステップと、
を含む認証方法。
【請求項１０】
ユーザの操作を受け付ける操作部と、
前記操作部が受け付けた操作に基づいてイベントを特定するイベント特定部と、
前記イベント特定部が特定したイベントの発生間隔を検出する間隔測定部と、
前記イベント特定部が特定したイベントの種類と発生間隔と発生回数とに基づいて、前記ユーザが使用を許可されたユーザであるか否かを判定する認証部と、
を備える情報処理装置。
【発明の詳細な説明】
【技術分野】
【０００１】
本発明の実施形態は、監視制御装置、認証方法及び情報処理装置に関する。
【背景技術】
【０００２】
コンピュータ上で実行されるオペレーティング・システム又はアプリケーションでは、ユーザＩＤとパスワードとを用いた認証が用いられている。近年普及しているスマートフォンなどのタッチパネルを有する装置では、パスワードに代えて、タッチパネル上のタッチする位置と順序との組み合わせで認証が行われている。
【０００３】
ところで、水処理設備、発電所及び工場などのプラントにおいて、設備の状態やプラント内の状態などの監視及び制御を行う監視制御装置は常に動作させているため、操作員は、操作の度に認証を行わずに、認証後の状態を維持させておき操作を行っていることがある。これは、操作員が、操作の度の認証を煩わしく感じている場合があるためである。
【先行技術文献】
【特許文献】
【０００４】
【特許文献１】特開２０１０−００９５４４号公報
【発明の概要】
【発明が解決しようとする課題】
【０００５】
本発明が解決しようとする課題は、認証における操作の手間を軽減することができる監視制御装置、認証方法及び情報処理装置を提供することである。
【課題を解決するための手段】
【０００６】
実施形態の監視制御装置は、プラントに備えられた設備の状態の監視及び制御に用いられる。監視制御装置は、操作部と、イベント特定部と、間隔測定部と、認証部と持つ。操作部は、ユーザの操作を受け付ける。イベント特定部は、操作部が受け付けた操作に基づいてイベントを特定する。間隔測定部は、イベント特定部が特定したイベントの発生間隔を検出する。認証部は、イベント特定部が特定したイベントの種類と発生間隔と発生回数とに基づいて、ユーザが監視制御装置の使用を許可されているか否かを判定する。
【図面の簡単な説明】
【０００７】
【図１】第１の実施形態における監視制御装置１１を含むプラント監視制御システムの一例を示すブロック図。
【図２】第１の実施形態における監視制御装置１１の構成例を示すブロック図。
【図３】第１の実施形態における監視制御装置１１が行う認証情報の登録処理を示すフローチャート。
【図４】第１の実施形態における監視制御装置１１が行う認証処理を示すフローチャート。
【図５】第１の実施形態における認証部１０８が行う認証情報の比較の概要を示す図。
【図６】第２の実施形態における表示部１０４の表示領域５に定められた部分領域５１、５２、５３の一例を示す図。
【図７】第３の実施形態における監視制御装置１１Ａの構成例を示すブロック図。
【発明を実施するための形態】
【０００８】
以下、実施形態の監視制御装置、認証方法及び情報処理装置を、図面を参照して説明する。
【０００９】
（第１の実施形態）
図１は、第１の実施形態における監視制御装置１１を含むプラント監視制御システムの一例を示すブロック図である。プラント制御システムは、監視制御システム１と、プラント２に備えられている様々な設備２１−１〜２１−Ｎとを備える。監視制御システム１と設備２１−１〜２１−Ｎとは、ネットワーク３を介して通信可能に接続されている。プラント２に備えられている設備２１−１〜２１−Ｎは、例えばプラント２が水処理プラントである場合、ポンプ、濾過機、貯槽、調整弁、種々のセンサなどである。
【００１０】
監視制御システム１は、データサーバ１０と、一つ又は複数の監視制御装置１１とを備える。データサーバ１０は、プラント２の各設備２１−１〜２１−Ｎの動作状態及びセンサなどで検出された状態を、ネットワーク３を介して受信し蓄積する。監視制御装置１１は、データサーバ１０に蓄積されたプラント２の状態を示す情報を取得して表示する。また、監視制御装置１１は、ユーザの操作を受け付けて、プラント２の各設備２１−１〜２１−Ｎに対する制御を行う。
【００１１】
図２は、第１の実施形態における監視制御装置１１の構成例を示すブロック図である。監視制御装置１１は、通信インタフェース（通信ＩＦ）１０１、制御部１０２、表示制御部１０３、表示部１０４、操作部１０５、イベント特定部１０６、イベント間隔測定部１０７、認証部１０８及び記憶部１０９を備える。通信インタフェース１０１は、ネットワーク３を介して、データサーバ１０及びプラント２の各設備２１−１〜２１−Ｎとデータの送受信を行う。
【００１２】
制御部１０２は、通信インタフェース１０１が受信したデータに対する処理を行う。また、制御部１０２は、受信したデータ及び処理により得られたデータを表示制御部１０３へ出力する。また、制御部１０２は、操作部１０５が受け付けたユーザの操作情報に基づいて、監視制御装置１１の各部を制御する。制御部１０２は、操作情報に基づいて、データサーバ１０にデータを要求する情報と設備２１−１〜２１−Ｎを制御する情報とを生成し、通信インタフェース１０１を介して当該情報を送信する。
【００１３】
表示制御部１０３は、制御部１０２から入力したデータに基づいて、表示部１０４の表示領域（又は表示画面）において表示させる表示画像を生成して表示部１０４へ出力する。表示部１０４は、例えば液晶ディスプレイなどであり、ユーザに対してプラント２における状態などを表示する。操作部１０５は、ユーザの操作を受け付け、当該操作に応じた信号を生成して出力する。操作部１０５は、例えばキーボード、マウスなどのポインティングデバイスである。また、操作部１０５及び表示部１０４として、表示と操作の入力とを一つの装置で行えるタッチパネル式のディスプレイを用いてもよい。
【００１４】
イベント特定部１０６は、操作部１０５が受け付けたユーザの操作において、監視制御装置１１における認証処理で用いる操作をイベントとして検出する。イベント特定部１０６は、検出した操作を示すイベント情報を、イベント間隔測定部１０７及び認証部１０８へ逐次出力する。監視制御装置１１における認証処理で用いる操作は、例えばマウスのボタンを押す及び離す、キーボードの特定のキーを押す及び離す、タッチパネルに触る及び離すなどである。すなわち、イベント特定部１０６が検出するイベントとは、マウスのボタンを押す及び離す、キーボードの特定のキーを押す及び離す、タッチパネルに触る及び離すなどの操作である。
【００１５】
イベント間隔測定部１０７は、イベント特定部１０６からイベント情報が入力される間隔を測定し、測定した間隔を示す時間情報を、認証部１０８へ逐次出力する。イベント間隔測定部１０７がイベント情報の入力される間隔を測定することにより、例えばマウスのボタンが押されてから離されるまで、すなわちオン状態になっている期間を測定することができる。イベント間隔測定部１０７は、測定した期間を示す間隔情報を認証部１０８へ出力する。
【００１６】
また、イベント間隔測定部１０７は、イベント特定部１０６からイベント情報を入力してから一定の時間内に次のイベント情報が入力されない場合に、イベント情報の入力が終了したと判定し、入力の終了を示す終了情報を認証部１０８へ出力する。
【００１７】
認証部１０８は、イベント特定部１０６から出力されるイベント情報と、イベント間隔測定部１０７から出力される間隔情報及び終了情報とを取得する。認証部１０８は、イベント情報と間隔情報と終了情報とから、ユーザの認証に用いるイベントの時系列とイベントの間隔とを示す認証情報を生成する。例えば、操作部１０５がマウス又はキーボードである場合には、認証情報は、マウスのボタン又はキーボードの特定のキーを押下している期間の長さ、次の押下までの間隔、押下の回数を含む情報である。また、操作部１０５がタッチパネルである場合には、認証情報は、タッチパネルに触れている期間の長さ、次に触れるまでの間隔、触れた回数を含む情報である。
【００１８】
認証部１０８は、制御部１０２から認証情報を登録する指示を受けた場合には、生成した認証情報を記憶部１０９に記憶させる。また、認証部１０８は、制御部１０２からユーザの認証を実行する指示を受けた場合には、生成した認証情報と、記憶部１０９に記憶されている認証情報とを比較する。認証部１０８は、二つの認証情報を比較することで、操作部１０５を操作しているユーザが監視制御装置１１の使用を許可されているユーザであるか否かを判定し、判定結果を制御部１０２へ出力する。記憶部１０９は、監視制御装置１１の使用を許可された各ユーザの認証情報とユーザの識別子と一対一に対応付けて記憶する。
【００１９】
図３は、第１の実施形態における監視制御装置１１が行う認証情報の登録処理を示すフローチャートである。監視制御装置１１において登録処理が開始されると、認証部１０８は、イベント間隔測定部１０７から終了情報が入力されるまで、イベント特定部１０６及びイベント間隔測定部１０７から出力されるイベント情報及び間隔情報を入力する。認証部１０８は、終了情報が入力されると、イベント情報及び間隔情報から認証情報を生成する（ステップＳ１０１）。認証部１０８は、生成した認証情報を事前に定められたユーザの識別子に対応付けて記憶部１０９に記憶させ（ステップＳ１０２）、登録処理を終了させる。この登録処理は、ユーザごとに行われる。なお、登録処理において、認証部１０８は、ステップＳ１０１を複数回繰り返して行い、対応する間隔情報の統計値を算出して、イベント情報及び算出した統計値から認証情報を生成してもよい。ここで、統計値とは、平均値、中央値又は最頻値などである。
【００２０】
また、監視制御装置１１が登録処理を行わずに、監視制御装置１１を利用するユーザそれぞれの識別子に認証情報を対応付けて記憶部１０９に予め記憶させておいてもよい。更に、監視制御装置１１は、登録処理を行うことにより、ユーザの識別情報に認証情報を対応付けて予め記憶している記憶部１０９に対して、他のユーザの認証情報を新たに記憶させてもよい。また、監視制御システム１における複数の監視制御装置１１の記憶部１０９を共通化して、一つの記憶部１０９を各監視制御装置１１が参照するようにしてもよい。
【００２１】
図４は、第１の実施形態における監視制御装置１１が行う認証処理を示すフローチャートである。監視制御装置１１においてユーザがログインする際の認証処理が開始されると、認証部１０８は、イベント間隔測定部１０７から終了情報が入力されるまで、イベント特定部１０６及びイベント間隔測定部１０７から出力されるイベント情報及び間隔情報を入力する。認証部１０８は、終了情報が入力されると、イベント情報及び間隔情報から認証情報を生成する（ステップＳ２０１）。
【００２２】
認証部１０８は、ステップＳ２０１において生成した認証情報と、記憶部１０９に記憶されている認証情報とを比較する（ステップＳ２０２）。認証部１０８が行う二つの認証情報の比較は、認証情報それぞれが示すイベントの時系列において、イベントの発生したタイミングが一致しているか否かを判定することにより行われる。また、認証部１０８は、記憶部１０９に記憶されている各ユーザの認証情報ごとに比較を行う。
【００２３】
認証部１０８は、ステップＳ２０１において生成した認証情報と一致する認証情報が記憶部１０９に記憶されていたか否かを判定する（ステップＳ２０３）。一致する認証情報があった場合（ステップＳ２０３：ＹＥＳ）、認証部１０８は、ユーザのログインを許可することを示す許可情報を制御部１０２へ出力し（ステップＳ２０４）、承認処理を終了させる。一致する認証情報がない場合（ステップＳ２０３：ＮＯ）、認証部１０８は、ユーザのログインを拒否することを示す拒否情報を制御部１０２へ出力し（ステップＳ２０５）、認証処理を終了させる。
【００２４】
認証処理は、例えば、監視制御装置１１が起動した後、監視制御装置１１を操作するユーザが一定期間に亘り不在になった後、及び、監視制御装置１１を操作するユーザが一定期間に亘り操作を行わなかった後に行われる。認証処理が行われるタイミングは、一般的なコンピュータにおいて、ログインなどの認証が要求されるタイミングと同様にしてもよい。なお、ユーザの不在の検出には、赤外線センサなどを用いた公知の技術を用いることができる。
【００２５】
また、制御部１０２は、監視制御装置１１が起動した後、監視制御装置１１を操作するユーザが一定期間に亘り不在になったとき、及び、監視制御装置１１を操作するユーザが一定期間に亘り操作を行わなかったときに、操作部１０５が受け付けたプラント２の設備２１−１〜２１−Ｎに対する制御の実行を停止させるロック状態に遷移してもよい。このとき、制御部１０２は、認証処理によってユーザのログインを許可すると、ロック状態を解除する。なお、制御部１０２及び表示制御部１０３は、ロック状態においても、表示画像の更新を継続して行い、プラント２における状態などの表示を継続してもよい。これにより、ユーザは、ロック状態においても、プラント２の監視を継続して行うことができる。
【００２６】
ここで、認証処理のステップＳ２０２における認証情報の比較について説明する。図５は、第１の実施形態における認証部１０８が行う認証情報の比較の概要を示す図である。図５に示す例では、ボタン又はキーに対する３回のクリック（押した後に離す操作）によるイベント発生の時系列を示す二つの認証情報が比較されている。認証部１０８は、比較の際に、各認証情報における最初のイベント「押す」が発生した時刻を揃えることで、他の五つのイベント（「離す」、「押す」、「離す」、「押す」、「離す」）の発生タイミングが一致しているか否かを判定する。「記憶部の認証情報」は、取得した認証情報は、登録処理によって記憶部１０９に記憶された認証情報である。「取得した認証情報」は、認証処理において取得された認証情報である。
【００２７】
発生タイミングの判定には、予め定められた許容範囲Δｔが設けられており、記憶部１０９の認証情報におけるイベントの発生時刻に対して±Δｔの範囲内で、取得した認証情報におけるイベントが発生しているときに一致していると判定する。すなわち、式（１）が満たされる場合に、認証部１０８は、イベントの発生タイミングが一致していると判定する。
（ｔ１ｎ−Δｔ）≦ｔ２ｎ≦（ｔ１ｎ＋Δｔ），ｎ＝２，３，４，５，６  …（１）
【００２８】
図５に示す例では、ｔ２２、ｔ２３、ｔ２４、ｔ２５、及びｔ２６それぞれが、ｔ１２、ｔ１３、ｔ１４、ｔ１５及びｔ１６に対して±Δｔの範囲内に含まれているので、二つの認証情報は一致していると判定される。
【００２９】
また、認証部１０８は、比較する二つの認証情報におけるイベントの順序と数とが一致している場合において、最初のイベントから最後のイベントまでの期間を揃える正規化を行った後に、イベントの発生タイミングが一致しているか否かを判定してもよい。例えば、図５に示した二つの認証情報を比較する際に、認証部１０８は、式（２）及び式（３）を用いて、取得した認証情報に含まれるイベントの発生タイミングを補正した後に、イベントの発生タイミングが一致しているか否かを判定する。
α＝（ｔ１６−ｔ１１）／（ｔ２６−ｔ２１）  …（２）
ｔ’２ｎ＝（ｔ２ｎ−ｔ２１）・α＋ｔ２１，ｎ＝２，３，４，５，６  …（３）
【００３０】
第１の実施形態における監視制御装置１１によれば、ボタン、キー又はタッチパネルをプレスしている期間、次のプレスまでの間隔、プレスの回数に基づいて、認証を行うことができる。監視制御装置１１における認証処理の操作は、マウスボタンのクリック、キーボードの特定のキーのオンとオフ、又はタッチパネル操作のタップなどの簡易な操作であるため、認証操作の手間を軽減することができる。監視制御装置１１の認証処理における操作は、パスワードによる認証などに比べ、ユーザの負担を軽減できるので、ユーザの認証利用を促すことができる。
【００３１】
一般に、プラントなどの監視制御装置は、出入りが制限された部屋又は区画に設置されているため、監視制御装置に対する不正操作が発生する可能性が低いと認識されているため、監視制御装置の認証が用いられないことがある。しかし、出入りが制限された部屋又は区画であっても、侵入者による不正な操作が行われたり、内部の操作員による不正な操作が行われたりする可能性がある。第１の実施形態における監視制御装置１１を用いてユーザに認証利用を促し、また操作を行った操作員を記録することにより、不正な操作が行われることを抑制することができる。
【００３２】
なお、認証部１０８は、認証処理が実行された時刻と、認証に成功したか否かと、認証に成功した場合にはユーザの識別子とを組み合わせて、記憶部１０９に記憶させるようにしてもよい。認証部１０８が認証処理の実行ごとに履歴を記憶部１０９に記憶させることにより、万一、不正な操作が行われた場合に、不正な操作が行われたときの状況を把握するための情報を得ることができる。
【００３３】
（第２の実施形態）
第２の実施形態における監視制御装置は、第１の実施形態における監視制御装置１１と同じ構成要素を備える。第２の実施形態における監視制御装置の構成についての説明を省略する。第２の実施形態における監視制御装置では、表示部１０４の表示領域において複数のユーザそれぞれに対応する部分領域が予め定められており、ユーザの操作によるイベントの種類と発生間隔と発生回数と、当該操作が行われた部分領域との組み合わせに基づいて認証処理が行われる。
【００３４】
図６は、第２の実施形態における表示部１０４の表示領域５に定められた部分領域５１、５２、５３の一例を示す図である。図６に示す表示領域５は、プラント２が水処理プラントである場合における監視制御装置の表示部１０４による表示領域５の一例である。表示領域５には、三つの部分領域５１、５２、５３が定められている。部分領域５１、５２、５３は、ユーザを一意に識別するために、領域が重複することなく定められている。
【００３５】
例えば、認証処理のステップＳ２０１において部分領域５１でユーザの操作が行われた場合、認証部１０８は、記憶部１０９に記憶されている認証情報のうち部分領域５１に対応するユーザの認証情報と、ステップＳ２０１で生成した認証情報との比較を行う。ここで、部分領域５１でユーザの操作が行われるとは、マウス又はキーボードを用いる場合には部分領域５１内にカーソルを位置させた状態でボタンのクリックすることであり、タッチパネルを用いる場合には部分領域５１を指などでタップすることである。
【００３６】
なお、表示部１０４の表示領域における各ユーザに対応する部分領域は、表示領域においてユーザが認識できるように表示されていてもよいし、表示されていなくてもよい。部分領域を明示的に表示しない場合には、表示領域上のいずれの領域が割り当てられた部分領域であるかを予めユーザに対して知らせておく必要がある。部分領域を明示的に表示しない場合には、カーソルで部分領域を指定するときの色及び形状は、認証処理が行われる前に表示されていたカーソルの色及び形状と同じものが表示される。ユーザ以外が部分領域を把握できないように表示領域を構成することにより、予め登録されていない不正なユーザによる監視制御装置の使用を抑制することができる。
【００３７】
第２の実施形態による監視制御装置によれば、ユーザの操作によるイベントの種類と発生間隔と発生回数との組み合わせに加えて、操作を行う部分領域を認証に用いることにより、簡易な操作でありながら、認証のセキュリティを向上させることができる。
【００３８】
（第３の実施形態）
図７は、第３の実施形態における監視制御装置１１Ａの構成例を示すブロック図である。監視制御装置１１Ａは、通信インタフェース（通信ＩＦ）１０１、制御部１０２、表示制御部１０３、表示部１０４、操作部１０５、イベント特定部１０６、イベント間隔測定部１０７、認証部１０８、記憶部１０９及び音出力部１１０を備える。監視制御装置１１Ａにおいて、第１の実施形態における監視制御装置１１（図２）と同じ構成要素に対して同じ符号を付して、その説明を省略する。
【００３９】
音出力部１１０は、認証処理（図４）が開始されてから終了するまで、予め定められたリズムで可聴音を出力する。これにより、ユーザがマウスのボタン、キーボードの特定のキー又はタッチパネルを操作するタイミングを補助することができる。補助をすることにより、ユーザがプラント２に対する制御を急いで入力することが必要な場合などにおいて、ユーザが慌てて操作を行うことで認証処理におけるログインの拒否の発生を抑制することができる。音出力部１１０が出力する一定のリズムの可聴音は、ユーザごとに変えるようにしてもよい。この場合、音出力部１１０は、認証情報におけるイベントの発生タイミングの間隔に対する公約数又は最大公約数に基づいたリズムで音を出力するようにしてもよい。
【００４０】
なお、音出力部１１０は、認証処理（図４）が開始されてから終了するまで、認証処理の対象のユーザ以外に、操作により発生する音が聞かれないように一定音量以上のノイズ音を出力するようにしてもよい。これにより、ユーザ以外の人に、マウス、キーボード又はタッチパネルを操作する際に発生する音が聞かれることによる認証情報の漏洩を抑制することができる。
【００４１】
第３の実施形態における監視制御装置１１Ａによれば、音によってユーザの操作を補助したり、音に基づいて認証情報の漏洩を抑制したりすることができる。なお、監視制御装置１１Ａが備える音出力部１１０を、第２の実施形態における監視制御装置が備えてもよい。
【００４２】
なお、上記の各実施形態における監視制御装置において、表示領域において予め定められた領域にカーソルが移動した場合、又は予め定められたボタンが押下された場合に、イベント間隔測定部１０７又はイベント特定部１０６がイベント情報の入力が終了したと判定してもよい。
【００４３】
また、上記の各実施形態における監視制御装置における認証処理は、コンピュータ、スマートフォンなどの情報処理装置における認証に用いてもよい。
【００４４】
また、上記の各実施形態における監視制御装置は、コンピュータ装置を基本ハードウェアとして用いることで実現されるようにしてもよい。この場合、監視制御装置が備える制御部１０２、表示制御部１０３、イベント特定部１０６、イベント間隔測定部１０７、認証部１０８及び記憶部１０９それぞれは、コンピュータ装置に搭載されたプロセッサにプログラムを実行させることにより実現することができる。このとき、監視制御装置は、上記のプログラムをコンピュータ装置に予めインストールすることで実現してもよい。或いは、ＣＤ−ＲＯＭなどの記憶媒体に記憶された上記のプログラム、又はネットワークを介して頒布される上記のプログラムを、コンピュータ装置に適宜インストールすることで実現してもよい。
【００４５】
以上説明した少なくともひとつの実施形態によれば、ユーザの操作に基づいたイベントの種類と発生間隔と発生回数とを用いて、ユーザが監視制御装置の利用を許可されているか否かを判定する認証部を持つことにより、認証操作の手間を軽減することができる。
【００４６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４７】
１…監視制御システム、２…プラント、３…ネットワーク、５…表示領域、１０…データサーバ、１１，１１Ａ…監視制御装置、２１−１，２１−２，２１−Ｎ…設備、５１，５２，５３…部分領域、１０１…通信インタフェース、１０２…制御部、１０３…表示制御部、１０４…表示部、１０５…操作部、１０６…イベント特定部、１０７…イベント間隔測定部、１０８…認証部、１０９…記憶部、１１０…音出力部
【図１】
2016071792.tif 000003
【図２】
2016071792.tif 000004
【図３】
2016071792.tif 000005
【図４】
2016071792.tif 000006
【図５】
2016071792.tif 000007
【図６】
2016071792.tif 000008
【図７】
2016071792.tif 000009